(57)【要約】【課題】側方から前方にかけての視野を確保できるように、風や振動などを受けても鍔部が垂れ下がらないようにする。【解決手段】本発明の帽子状カバー１は、ヘルメット体３の外形に沿う形状に形成されると共にヘルメット体３に対して外側から被着される帽体６と、帽体６の外周縁から外方に向かって突出すると共に帽体６に形成された鍔部７と、を備えた帽子状カバー１であって、鍔部７のうち、少なくとも帽体６の前側及び左右両側に位置する鍔部７を、当該鍔部７の基端に対して突端が上方に位置するように跳ね上げ状態とし且つ跳ね上げ状態を維持させる跳上手段８が設けられていることを特徴とする。【選択図】図２
2020186488.tif 000002
【特許請求の範囲】
【請求項１】
ヘルメット体の外形に沿う形状に形成されると共に前記ヘルメット体に対して外側から被着される帽体と、前記帽体の外周縁から外方に向かって突出すると共に前記帽体に形成された鍔部と、を備えた帽子状カバーであって、
前記鍔部のうち、少なくとも前記帽体の前側及び左右両側に位置する鍔部を、当該鍔部の基端に対して突端が上方に位置するように跳ね上げ状態とし且つ跳ね上げ状態を維持させる跳上手段が設けられている
ことを特徴とする帽子状カバー。
【請求項２】
前記跳上手段は、
前記帽体の周囲を周回するように前記鍔部の表面に複数配備されるベルト挿通部と、
前記複数のベルト挿通部に挿通されると共に前記帽体の周囲を周回するように配備されるベルトと、
前記ベルトの両端同士を連結する連結部と、
を有していて、
前記連結部には、
前記鍔部の垂れ下がりを許容する周回長さで、前記ベルトの両端同士を連結する第１連結部と、
前記鍔部を跳ね上げ可能な周回長さで、前記ベルトの両端同士を連結する第２連結部と、
が設けられている
ことを特徴とする請求項１に記載の帽子状カバー。
【請求項３】
前記第１連結部は、前記ベルトの一方側の端部に設けられた第１係合突起と、前記ベルトの一方側の端部に設けられると共に前記第１係合突起と係合可能な被係合部と、を有しており、
前記第２連結部は、前記ベルトの一方側の端部に設けられた第２係合突起と、前記被係合部と、を有しており、
前記第２係合突起は、前記第１係合突起よりも被係合部に近い側に設けられている
ことを特徴とする請求項２に記載の帽子状カバー。
【請求項４】
前記鍔部には、前記鍔部が跳ね上がった状態を維持可能とする姿勢保持ワイヤーが設けられている
ことを特徴とする請求項１〜３のいずれかに記載の帽子状カバー。
【請求項５】
前記帽体は、水平方向の一方側からもう一方側に向かうに連れて、上下方向の寸法が短くなるくさび状に裁断された布片を複数枚継ぎ合わせて形成されている
ことを特徴とする請求項１〜４のいずれかに記載の帽子状カバー。
【請求項６】
請求項１〜５のいずれかに記載の帽子状カバーと、前記帽子状カバーが被着されるヘルメット体と、を備えたヘルメット。
【発明の詳細な説明】
【技術分野】
【０００１】
本発明は、ヘルメットの外側に帽子状カバーを被着させることで、着用したときの外観の見栄えを向上することができる帽子状カバー及びこの帽子状カバーを備えたヘルメットに関するものである。
【背景技術】
【０００２】
従来より、ヘルメットに被着して用いる帽子状カバーとしては、特許文献１や特許文献２に示すようなものが知られている。
すなわち、特許文献１には、自転車などの乗車時に用いられるヘルメットの上に被着可能なヘルメットカバーが開示されている。この特許文献１のヘルメットカバーは、シルクハット（トップハット）のような外観を備えるものであり、前後方向に寸法調整可能に構成されることでヘルメットにも使用者の頭部にもフィット可能とされている。
【０００３】
また、特許文献２には、麦わら帽子のように防暑性や防眩性に優れる鍔付き帽子を、ヘルメットの外面に着脱自在に固着してなる防暑用ヘルメットが開示されている。この特許文献２の防暑用ヘルメットは、酷暑地または夏季において屋外で用いても防暑性および／または防眩性を実用に耐え得るほど向上させることができるものとされている。
【先行技術文献】
【特許文献】
【０００４】
【特許文献１】特開２０１１−２１９９０１号公報
【特許文献２】特開２００６−２４９６２６号公報
【発明の概要】
【発明が解決しようとする課題】
【０００５】
ところで、特許文献１や特許文献２の帽子状カバーは、いずれも帽体の周囲に鍔部を備えたものであり、自転車などに乗用している場合に、ヘルメットに対して外側から被着されるものとされている。
ここで、このような帽子に設けられる鍔部は、帽体の周縁から外方に向かって庇状に張り出されただけの構造であり、風に煽られたり振動などを加えられたりすると、鍔が垂れ下がって使用者の視界を遮る場合がある（図６参照）。
【０００６】
ところが、自転車用や自動二輪用のヘルメットには、製品安全協会が定めた安全基準に適合していることを示すＳＧ規格などがあり、これらの規格を満足するかどうかの判断基準の一つに、「左右両側から前方にかけての視野の確保」がある。
つまり、鍔が風や振動で垂れ下がって前方の視野が遮られる可能性がある特許文献１や特許文献２の帽子は、上述したＳＧ規格に適合できない可能性がある。また、ＳＧ規格がない場合には、これらのヘルメットの売れ行きが悪くなってしまう。
【０００７】
本発明は、上述の問題に鑑みてなされたものであり、風や振動などを受けても鍔部が垂れ下がることがなく、側方から前方にかけての視野を確保して、自転車用や自動二輪用のヘルメットの工業規格を満足することができる帽子状カバー及びこの帽子状カバーを備えたヘルメットを提供することを目的とする。
【課題を解決するための手段】
【０００８】
上記課題を解決するため、本発明の帽子状カバーは以下の技術的手段を講じている。
即ち、本発明の帽子状カバーは、ヘルメット体の外形に沿う形状に形成されると共に前記ヘルメット体に対して外側から被着される帽体と、前記帽体の外周縁から外方に向かって突出すると共に前記帽体に形成された鍔部と、を備えた帽子状カバーであって、前記鍔部のうち、少なくとも前記帽体の前側及び左右両側に位置する鍔部を、当該鍔部の基端に対して突端が上方に位置するように跳ね上げ状態とし且つ跳ね上げ状態を維持させる跳上手段が設けられていることを特徴とする。
【０００９】
なお、好ましくは、前記跳上手段は、前記帽体の周囲を周回するように前記鍔部の表面に複数配備されるベルト挿通部と、前記複数のベルト挿通部に挿通されると共に前記帽体の周囲を周回するように配備されるベルトと、前記ベルトの両端同士を連結する連結部と、を有していて、前記連結部には、前記鍔部の垂れ下がりを許容する周回長さで、前記ベルトの両端同士を連結する第１連結部と、前記鍔部を跳ね上げ可能な周回長さで、前記ベルトの両端同士を連結する第２連結部と、が設けられているとよい。
【００１０】
なお、好ましくは、前記第１連結部は、前記ベルトの一方側の端部に設けられた第１係合突起と、前記ベルトの一方側の端部に設けられると共に前記第１係合突起と係合可能な被係合部と、を有しており、前記第２連結部は、前記ベルトの一方側の端部に設けられた第２係合突起と、前記被係合部と、を有しており、前記第２係合突起は、前記第１係合突起よりも被係合部に近い側に設けられているとよい。
【００１１】
なお、好ましくは、前記鍔部には、前記鍔部が跳ね上がった状態を維持可能とする姿勢保持ワイヤーが設けられているとよい。
なお、好ましくは、前記帽体は、水平方向の一方側からもう一方側に向かうに連れて、上下方向の寸法が短くなるくさび状に裁断された布片を複数枚継ぎ合わせて形成されているとよい。
【００１２】
また、本発明のヘルメットは、上述した帽子状カバーと、前記帽子状カバーが被着されるヘルメット体と、を備えることを特徴とする。
【発明の効果】
【００１３】
本発明の帽子状カバー及びこの帽子状カバーを備えたヘルメットによれば、風や振動などを受けても鍔部が垂れ下がることがなく、側方から前方にかけての視野を確保して、自転車用や自動二輪用のヘルメットの工業規格を満足することができる。
【図面の簡単な説明】
【００１４】
【図１】本実施形態のヘルメットを着用して自転車に乗用した場合の使用態様を示した図である。
【図２】本実施形態のヘルメットの分解図である。
【図３】鍔部が跳ね上げられた本実施形態の帽子状カバーを前方から見た図である。
【図４】鍔部が跳ね上げられた本実施形態の帽子状カバーを側方から見た図である。
【図５】帽体と鍔部との位置関係を跳ね上げ前後で比較して示した図である。
【図６】鍔部が垂れ下がった本実施形態の帽子状カバーを斜め前方から見た図である。
【発明を実施するための形態】
【００１５】
［第１実施形態］
以下、本発明の帽子状カバー１及びこの帽子状カバー１を備えたヘルメット２の実施形態を図面に基づき詳しく説明する。
図１は、本実施形態の帽子状カバー１及びこの帽子状カバー１を有するヘルメット２を着用した使用者Ｕを模式的に示したものである。
【００１６】
図１に示すように、本実施形態のヘルメット２は、自転車や自動二輪車などの車両に乗用する使用者Ｕが、自らの頭部に着用することで、事故などを起こした場合に重大な損傷を受けやすい頭部を保護するものとなっている。なお、以降の実施形態では、図１に示すような自転車Ｂに乗車する使用者Ｕが使用するヘルメット２（自転車用ヘルメット）を例に上げて、本発明の帽子状カバー１及びヘルメット２を説明するが、本発明のヘルメット２は自転車以外の車両、例えば自動二輪車、自動車、カートなどに乗車する際や、スポーツなどで用いるものであっても良い。具体例を挙げれば、本発明のヘルメット２は、スノーボード、ローラーボードなどのボード類、ラフティングなどのボートやカヌーに乗る場合に用いるものであっても良い。また、本発明のヘルメット２は、ロッククライミング、ボルダリング、登山などに用いるものであっても良い。
【００１７】
図２に示すように、本実施形態のヘルメット２は、使用者Ｕの頭部を保護するヘルメット体３と、このヘルメット体３の外側に被着される帽子状カバー１と、の２つの部材を備えている。以降では、帽子状カバー１を説明する前に、まずヘルメット体３を簡単に説明する。
上述したヘルメット体３は、一般にサイクリングショップなどで「自転車用ヘルメット」として販売等されるものと同等のものである。このヘルメット体３は、上方に向かって半球状に盛り上がった形状に形成されており、内側の上方に向かって凹んだ部分に使用者Ｕの頭部を差し入れることで使用者Ｕの頭部を被覆できるようになっている。また、ヘルメット体３は、異なる合成樹脂材料で内外２層に組み合わせて形成されており、本実施形態では発泡スチロール製の内層３ａと、ポリカーボネート製の外層３ｂ（外殻）との２重構造を採用している。
【００１８】
ヘルメット体３の上部には、上述した内層３ａと外層３ｂとを内外に貫通する通気孔４が複数形成されており、発汗などによって発生した水分や熱をヘルメット体３の内側から外側に逃がせるようになっている。また、ヘルメット体３の下側には、使用者Ｕのあご下を通って左右に伸びるあご紐５が設けられている。このあご紐５は、ヘルメット体３の左側に連結された第１のあご紐５ａと、ヘルメット体３の右側に連結された第２のあご紐５ｂと、第１のあご紐５ａと第２のあご紐５ｂとを着脱自在に連結する連結部材５ｃと、を有している。つまり、上述したあご紐５を備えたヘルメット体３では、連結部材５ｃを用いて第１のあご紐５ａと第２のあご紐５ｂとを連結すると、左右のあご紐５ａ、５ｂ同士が使用者Ｕのあご下を通って結ばれ、使用者Ｕの頭部にヘルメット２を外れないように装着することが可能となる。
【００１９】
次に、上述したヘルメット体３に取り付けられる帽子状カバー１について説明する。
図１に示すように、本実施形態の帽子状カバー１は、上述したヘルメット２の外側に被着されるカバー部材であり、ヘルメット２を着用していても外観上はあたかも帽子を着用しているような外観を付与可能なものとなっている。
このような帽子状カバー１を設けるのは、次のような理由による。
【００２０】
つまり、使用者Ｕ、特に女性の中には、自転車Ｂに乗る際にヘルメット体を着用することに抵抗感を感じる人がいる。このような使用者Ｕは、着用経験が少ないせいもあって、ヘルメット体を着用した外観を仰々しいと感じたり、不格好と感じたりすることが多い。そのため、ヘルメット体を抵抗なく着用してもらうためには、ヘルメット体を着用した際の外観を異なるものに変更するのが好ましい。そこで、本発明のヘルメット２では、上述した帽子状カバー１を設けることで、外観上はあたかも帽子を着用しているような外観を付与し、抵抗感を感じる使用者Ｕでもヘルメット体３を抵抗なく着用できるようにしている。言い換えれば、本発明のヘルメット２は、ヘルメット２を着用したときの外観（見栄え）を向上可能なものとなっている。
【００２１】
具体的には、図３〜図５に示すように、本実施形態の帽子状カバー１は、頭部の形状に沿うように半球状に形成された帽体の周縁に、鍔が全周に亘って設けられた婦人用の帽子となっている。この帽子状カバー１は、ヘルメット体３の外形に沿う形状に形成されると共にヘルメット２に対して外側から被着される帽体６と、帽体６の外周縁から外方に向かって突出すると共に帽体６に形成された鍔部７と、を備えている。また、帽子状カバー１は、鍔部７のうち、少なくとも帽体６の前側及び左右両側に位置する鍔部７を、この鍔部７の基端に対して突端が上方に位置するように跳ね上げ状態とし且つ跳ね上げ状態を維持させる跳上手段８を有している。そして、本実施形態の帽子状カバー１は、この跳上手段８を有することを特徴としている。
【００２２】
以降では、本実施形態の帽子状カバー１を構成する帽体６、鍔部７、及び跳上手段８について説明する。
本実施形態の帽子状カバー１に設けられる帽体６は、使用者Ｕの頭部に沿うように上方に向かって膨出するように盛り上がった略半球状の曲面で形成されている。
このように帽体６を略半球状の曲面で構成するのは、以下のような理由による。
【００２３】
つまり、一般的な帽子では、ベースボールキャップなどの帽子を除けば、帽体６を略半球状の曲面で形成することは少ない。これは、帽体６を略半球状にするとデザイン性が損なわれることが多いからである。しかし、本実施形態の帽子状カバー１は、上述したヘルメット体３に被着されるものであるため、ヘルメット体３の表面との接着面をできる限り大きくしたいとの考えから、このような略半球状の曲面で帽体６を構成している。
【００２４】
なお、上述したように略半球状の曲面で帽体６を構成すると、デザイン性が下がってしまうため、本実施形態の帽体６では帽体６の縫製を工夫して、デザイン性を落とさないようにしている。
具体的には、本実施形態の帽体６は、複数枚の布片６ａを組み合わせることで、半球状に形成されている。つまり、これら複数枚の布片６ａとは、水平方向の一方側からもう一方側に向かうに連れて、上下方向の寸法が短くなるくさび状（鎌刃状）に裁断されたものである。このようなくさび状の布片６ａを下方から上方に向かって左右方向で向きを違えながら複数枚継ぎ合わせることで、帽体６は略半球状に形成されている。このような複数枚の布片６ａを組み合わせた帽体６であれば、帽体６を左右に横切るように縫い目が複数条に亘って走り、これらの縫い目がアクセントとなって帽体６のデザイン性を高めるため、帽体６を半球状に形成していてもデザイン性が落ちることはない。
【００２５】
なお、本実施形態の帽体６は、複数枚のくさび状の布片６ａを組み合わせてデザイン性を高めているが、本発明の帽子状カバー１を構成する帽体６は異なる布片６ａの組み合わせ方でデザイン性を高めたものであってもよいし、不織布のように１枚の布地で形成されたものであっても良い。
また、上述した帽体６の上部には、車両のヘッドライトなどの光を後方に向かって反射することで、使用車の位置を車両の運転者などに認知させる再帰反射を用いた反射部９が設けられている。
【００２６】
さらに、上述した帽体６の下縁には、帽体６の内側に向かって上方に折り返された折返部１０が形成されている。このような折返部１０を帽体６の下縁に設ければ、ヘルメット体３の下縁が内側に巻き込まれるように折返部１０を帽体６の内側（ヘルメット体３の内側）に向かって折り返すことができ、帽体６をヘルメット体３により強固に被着させることが可能となる。
【００２７】
鍔部７は、上述した帽体６と同じ布地を用いて、帽体６の周囲に形成された部材である。本実施形態の鍔部７は帽体６の周縁の全周に亘って形成されているため、略円環状に形成されるものとなっている。しかし、本発明の帽子状カバー１に設けられる鍔部７は帽体６の周縁の一部のみに形成されていても良く、周縁の一部のみの場合は例えば略Ｕ字状や三日月状などに形成されていても良い。
【００２８】
具体的には、本実施形態の鍔部７は、帽体６の下端縁から外方に向かって庇状に張り出すように、帽体６の全周に亘って形成されている。鍔部７の後側には、帽体６の反射部９と同様に再帰反射を用いた反射片１１が縫い込まれており、夜間における後方からの視認性を向上させられるようになっている。
具体的には、本実施形態の鍔部７は、２枚の布片６ａを重合した状態で縫い合わせて形成されており、重合した布片６ａの間には、鍔部７を跳ね上がった状態（鍔部７の外縁側が内縁側に対して上方に位置するように傾斜した状態）に維持可能とする姿勢保持ワイヤー１２が設けられている。
【００２９】
つまり、この姿勢保持ワイヤー１２は、使用者Ｕが手で曲げただけで容易に折り曲がる程度の強度となるような材質や太さで形成されている。本実施形態の場合であれば、手で折り曲げられる程度の硬度を備えたアルミ、鉄、銅などの金属線材を用いて、１ｍｍ〜３ｍｍ程度の太さに形成されている。このような材料や太さの姿勢保持ワイヤー１２を用いれば、使用者Ｕが自らの手で任意の形状に折り曲げるだけでなく、折り曲げることで鍔部７に跳ね上げ状の折り癖を付けることも可能となり、鍔部７を跳ね上がった状態を変形させるだけでなく維持することも可能となる。
【００３０】
さらに、鍔部７の表面には、帽体６の周囲を環状に周回する軌道（円軌道）に沿ってベルト１４を案内できるようにベルト挿通部１３が複数配備されている。このベルト挿通部１３は、鍔部７に形成されたスリット状の切り込みであり、鍔部７を上下に貫通するように形成されている。また、ベルト挿通部１３は、ベルト１４を挿通可能な長さの切り込み長さを備えている。そのため、ベルト挿通部１３では、例えば鍔部７の上側にあるベルト１４を鍔部７の下側に案内したり、鍔部７の下側にあるベルト１４を鍔部７の上側に案内したりすることができる。つまり、上述した鍔部７では、複数設けられたベルト挿通部１３を順番に繋ぎ合わせるようにベルト１４を案内することができるので、円環状に形成された鍔部７の表面に沿って、帽体６の周囲を周回するようにベルト挿通部１３を並べれば、帽体６の周囲を周回するようにベルト１４を導くことが可能となる。
【００３１】
図例の本実施形態の帽子状カバー１の場合であれば、上述したベルト挿通部１３は、帽体６の周囲を取り囲むように、帽体６の左側の側面から右側の側面まで、ほぼ等しい間隔をあけて８ヶ所形成されている。それゆえ、本実施形態の帽子状カバー１では、隣り合ったベルト挿通部１３の間を結ぶようにベルト１４を通すと、鍔部７に対してベルト１４を刺し縫いされたような状態で取り付けることができる。
【００３２】
跳上手段８は、鍔部７の基端（鍔部７の内周側の端部）に対して突端（鍔部７の外周側の端部）が上方に位置するように鍔部７を跳ね上げ状態とし、且つ、この鍔部７の跳ね上げ状態を維持させるものである。具体的には、本実施形態の跳上手段８は、上述したベルト挿通部１３と、複数のベルト挿通部１３に挿通されると共に帽体６の周囲を周回するように配備されるベルト１４と、ベルト１４の両端同士を連結する連結部１５と、を有している。
【００３３】
上述したベルト１４は、細長い帯状の部材であり、帽体６や鍔部７と同様に合成繊維などの布で形成されている。なお、ベルト１４は、帽体６や鍔部７と同じ布地で形成されていてもよいが、デザイン性を高められるように、色、模様、質感が異なる布地で形成されているとよい。また、ベルト１４として、伸縮性を有するゴム製のベルト１４、あるいはゴムが縫い込まれたベルト１４などを用いても良い。
【００３４】
ベルト挿通部１３は、上述したように鍔部７に形成された切り込みであり、ベルト１４を上下に貫通状に案内可能となっている。これらのベルト挿通部１３は、帽体６の左側部から前部を通って右側部に至る範囲に、５０ｍｍ〜８０ｍｍ程度の間隔をあけて８ヶ所設けられている。
帽体６の後部には、ベルト通し１６が左右に距離を開けて２つ設けられている。このベルト通し１６は、上述したベルト挿通部１３とは異なる部材であり、鍔部７ではなく帽体６に取り付けられている。そして、上述したベルト１４は、左側のベルト通し１６と、右側のベルト通し１６との間で、左右の端部が連結部１５により連結される構成となっている。
【００３５】
連結部１５は、ベルト１４における一方側の端部ともう一方側の端部とを連結する（ベルト１４の左端部と右端部とを連結する）ものである。本実施形態の帽子状カバー１の場合、連結部１５として、ベルト１４を蝶結び状に折り曲げたものが採用されており、蝶結び状に折り曲げられた部分に取り付けられたスナップボタン（ホックボタン）を用いてベルト１４の端部同士を連結するものが採用されている。なお、本発明の連結部１５には、スナップボタンに代えてマジックテープ（登録商標）（面ファスナー）、フックボタン、バックルなどを用いても良い。
【００３６】
具体的には、連結部１５は、ベルト１４の両端同士を連結した場合、連結時の長さに差がある第１連結部１５ａと第２連結部１５ｂとを有している。第１連結部１５ａは、鍔部７の垂れ下がりを許容する周回長さで、ベルト１４の両端同士を連結する部分である。また、第２連結部１５ｂは、鍔部７を跳ね上げ可能な周回長さで、ベルト１４の両端同士を連結する部分であり、第１連結部１５ａの周回長さより短い長さでベルト１４の両端同士を連結する部分である。
【００３７】
具体的には、スナップボタン（ホックボタン）を用いた本実施形態の連結部１５は、ベルト１４の一方側の端部に設けられた係止部１７（スナップボタンにおいて一般にゲンコと呼ばれる部分）と、ベルト１４の他方側の端部に設けられた被係止部１８（スナップボタンにおいて一般にバネと呼ばれる部分）と、で構成されている。本実施形態の場合、ベルト１４の一方側の端部（左端部）に設けられたスナップボタンの第１係止部１７ａと、ベルト１４の他方側の端部（右端部）に設けられたスナップボタンの被係止部１８とが、上述した第１連結部１５ａを構成している。また、ベルト１４の一方側（左端側）には、上述した第１係止部１７ａよりも被係止部１８側（右方）に離れた位置にスナップボタンの第２係止部１７ｂが設けられており、上述した第２係止部１７ｂと被係止部１８とが、上述した第２連結部１５ｂを構成している。
【００３８】
つまり、図５に示すように、ベルト１４の一方側に設けられた第１係止部１７ａを、ベルト１４の他方側に設けられた被係止部１８に係合させると、鍔部７の垂れ下がりを許容する周回長さで、ベルト１４の両端同士が連結される。ところが、第２係止部１７ｂをベルト１４の他方側に設けられた被係止部１８に係合させると、第２係止部１７ｂの方が第１係止部１７ａよりも被係止部１８に近い位置に設けられているため、ベルト１４の両端同士がより短い周回長さで連結される。つまり、第２係止部１７ｂを被係止部１８に連結させた場合の周回長さは、第１係止部１７ａから第２係止部１７ｂまでの長さの分だけ短いものとなり、ベルト１４により鍔部７が締め上げられるため、鍔部７の跳ね上げが可能となる。
【００３９】
つまり、本実施形態の跳上手段８を用いれば、被係止部１８に連結されている第１係止部１７ａを外して第２係止部１７ｂを被係止部１８に付け替えるだけで、ベルト１４の周回長さが短くなり、周回長さが短くなった分だけ鍔部７が締め上げられるため、鍔部７の基端（鍔部７の内周側の端部）に対して突端（鍔部７の外周側の端部）が上方に位置するように鍔部７を跳ね上げることが可能となる。
【００４０】
上述した跳上手段８を用いた帽子状カバー１では、自転車Ｂなどに乗車する場合は、第２係止部１７ｂを被係止部１８に係合させて、鍔部７を跳ね上げることが可能となるため、垂れ下がる鍔部７で使用者Ｕの視野が遮られることがなくなる。そのため、側方から前方にかけての視野を確保することができ、自転車用や自動二輪用のヘルメットの工業規格を満足することができる。
【００４１】
一方、図６に示すように、第１係止部１７ａを被係止部１８に連結すれば、ベルト１４の周回長さが長くなり、鍔部７の基端（鍔部７の内周側の端部）に対して突端（鍔部７の外周側の端部）が下方に位置するように鍔部７を垂れ下げることが可能となる。この綱部７が垂れ下がった状態では、ヘルメット２を被った外観が普通の帽子を被った外観と見分けにくくなるため、例えばヘルメット２を被ったままショッピングなどをすることができ、下車の際にいちいちヘルメット２を外したり（脱いだり）、再乗車の際にヘルメット２を被り直さなくても良くなり、ヘルメット２の利便性を大きく高めることも可能となる。
【００４２】
なお、今回開示された実施形態はすべての点で例示であって制限的なものではないと考えられるべきである。特に、今回開示された実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【符号の説明】
【００４３】
１  帽子状カバー
２  ヘルメット
３  ヘルメット体
３ａ  ヘルメット体の内層
３ｂ  ヘルメット体の外層
４  通気孔
５  あご紐
５ａ  第１のあご紐
５ｂ  第２のあご紐
５ｃ  連結部材
６  帽体
６ａ  布片
７  鍔部
８  跳上手段
９  反射部
１０  折返部
１１  反射片
１２  姿勢保持ワイヤー
１３  ベルト挿通部
１４  ベルト
１５  連結部
１５ａ  第１連結部
１５ｂ  第２連結部
１６  ベルト通し
１７  係止部
１７ａ  第１係止部
１７ｂ  第２係止部
１８  被係止部
Ｕ  使用者
Ｂ  自転車
【図１】
2020186488.tif 000003
【図２】
2020186488.tif 000004
【図３】
2020186488.tif 000005
【図４】
2020186488.tif 000006
【図５】
2020186488.tif 000007
【図６】
2020186488.tif 000008